(57)【要約】【課題】出力端子ピンをスムーズに回転させながら軸方向に移動し、接触不良を解消する。【解決手段】充電台は、携帯機器３０の接続端子３２に接触する出力端子ピン３を往復運動できるように端子ホルダ４に連結して、弾性体５で接続端子３２に押圧している。出力端子ピン３は、接続端子３２に接触する金属プレート６を円柱状のプラスチックカバー７に埋設して、先端から接点部６Ａを突出させている。端子ホルダ４は、プラスチックカバー７を軸方向に移動させる連結ガイド部１４を有し、連結ガイド部１４とプラスチックカバー７の対向部分の一方にガイドピン８を、他方にはガイドピン８を案内する回転ガイド１３を設けている。充電台は、装着部２に装着される携帯機器３０の接続端子３２で出力端子ピン３が押し込まれて、ガイドピン８が回転ガイド１３に沿って移動して、金属プレート６の接点部６Ａをローリングして携帯機器３０の接続端子３２に接触させる。【選択図】図１１
2010119273.tif 000002
【特許請求の範囲】
【請求項１】
電池(31)を内蔵する携帯機器(30)を脱着できるように装着する装着部(2)を有するケース(1)と、このケース(1)に設けられて、装着部(2)にセットされる携帯機器(30)の接続端子(32)に接触される出力端子ピン(3)と、この出力端子ピン(3)を前記携帯機器(30)の接続端子(32)に接近し、かつ離れる方向に往復運動できるように連結している端子ホルダ(4)と、前記出力端子ピン(3)を携帯機器(30)の接続端子(32)に向かって弾性的に押圧する弾性体(5)とを備えており、
前記出力端子ピン(3)は、前記携帯機器(30)の接続端子(32)に接触する金属プレート(6)と、この金属プレート(6)を埋設してなる円柱状のプラスチックカバー(7)とからなり、前記金属プレート(6)はプラスチックカバー(7)の先端から接点部(6A)を突出してプラスチックカバー(7)に埋設しており、
さらに、前記端子ホルダ(4)は、円柱状のプラスチックカバー(7)を軸方向に移動できるように連結してなる連結ガイド部(14)を有し、この連結ガイド部(14)と前記プラスチックカバー(7)の対向する部分には、一方にガイドピン(8)を、他方にはこのガイドピン(8)を案内して連結ガイド部(14)に沿って移動する出力端子ピン(3)をローリングさせる回転ガイド(13)を設けており、
前記ケース(1)の装着部(2)に装着される携帯機器(30)の接続端子(32)で前記出力端子ピン(3)が押し込まれて、前記ガイドピン(8)が回転ガイド(13)に沿って移動して、前記金属プレート(6)の接点部(6A)をローリングして携帯機器(30)の接続端子(32)に接触させるようにしてなる携帯機器の充電台。
【請求項２】
前記端子ホルダ(4)が、出力端子ピン(3)の往復運動方向に往復運動する絶縁カバー(16)と、この絶縁カバー(16)を携帯機器(30)に向かって弾性的に突出させる押しバネ(17)と備えており、この絶縁カバー(16)は、出力端子ピン(3)を往復運動できるように案内するガイド孔(16a)を設けており、携帯機器(30)の非装着状態において、この絶縁カバー(16)が出力端子ピン(3)よりも突出して、出力端子ピン(3)をガイド孔(16a)に収納するようにしてなる請求項１に記載される携帯機器の充電台。
【請求項３】
前記出力端子ピン(3)を押圧する弾性体(5)が金属線のコイルスプリング(5A)で、このコイルスプリング(5A)が金属プレート(6)に接触されてリード線に併用されてなる請求項１に記載される携帯機器の充電台。
【請求項４】
正負の電源端子(32A)と信号端子(32B)からなる接続端子(32)を有する携帯機器(30)の充電台であって、携帯機器(30)の正負の電源端子(32A)と信号端子(32B)の接続端子(32)に接触される出力端子ピン(3)を備える請求項１に記載される携帯機器(30)の充電台。
【請求項５】
前記携帯機器(30)の電源端子(32A)の接続端子(32)に接続される出力端子ピン(3)に接続してなる半導体スイッチング素子(25)を備えており、この半導体スイッチング素子(25)の入力には、携帯機器(30)の信号端子(32B)に接続される出力端子ピン(3)が接続されており、前記信号端子(32B)に接続される出力端子ピン(3)から入力されるオン信号で半導体スイッチング素子(25)をオン状態として、出力端子ピン(3)から正負の電力を出力する請求項４に記載される携帯機器の充電台。
【請求項６】
前記半導体スイッチング素子(25)が、前記携帯機器(30)の電源端子(32A)に接続している信号端子(32B)に接触する出力端子ピン(3)から入力される信号でオンに切り換えられるトランジスタ(25A)又はＦＥＴのいずれかである請求項５に記載される携帯機器の充電台。
【発明の詳細な説明】
【技術分野】
【０００１】
本発明は、充電できる電池を内蔵する携帯機器を装着して、内蔵している二次電池を充電する充電台に関する。
【背景技術】
【０００２】
充電台は、装着される携帯機器の接続端子に接触される正負の出力端子を備えている。出力端子が接触不良を起こさないように接続端子に電気接続するために、出力端子を回転させながら接続端子に接続するコネクタは開発されている。（特許文献１参照）
【０００３】
特許文献１のコネクタは、図１に示す出力端子ピン９３を所定のストロークで軸方向に往復運動でき、かつ抜けないようにケース９１に挿入している。出力端子ピン９３は、ケース９１との間に設けたコイルスプリング９４で弾性的に押し出される構造としている。さらに、出力端子ピン９３の外周には回転ガイド９５を設けており、この回転ガイド９５にケース９１の内面に設けたガイドピン９６を案内している。このコネクタ９０の出力端子ピン９３は、接続端子９９に接触して押し込まれると回転する。回転ガイド９５にガイドピン９６を案内して、回転ガイド９５をガイドピン９６に沿って移動させながら押し込まれるからである。この出力端子ピン９３は、回転しながら接続端子９９に接触することで接触不良を少なくできる。
【特許文献１】特開平１１−３０７１６１号公報
【発明の開示】
【発明が解決しようとする課題】
【０００４】
図１に示すコネクタ９０は、出力端子ピン９３を金属ロッドを特殊な形状に加工して製造することから、出力端子ピン９３の製造コストが高くなる欠点がある。また、金属ロッドの出力端子ピン９３に回転ガイド９５を設けて、この回転ガイド９５に摺動するようにガイドピン９６をケース９１に設けることから、出力端子ピン９３をスムーズに軸方向に移動させるのが難しい。金属ロッドの出力端子ピン９３に設けている回転ガイド９５とガイドピン９６との摺動抵抗が大きくなるからである。さらに、出力端子ピンを金属製のケースに連結するので、全体が導電部となることから、導電部の露出面積が大きく、導電部にユーザーが接触しやすい欠点がある。
【０００５】
充電台は、携帯機器の接続端子に電気接続する正負の出力端子を必要とすることから、出力端子の導電部が露出してショートすると大きなショート電流が流れる。また、正負の出力端子の電圧が高い場合には、濡れた手で導電部に接触すると感電する可能性もある。さらに、電圧が低い場合でも、長時間接触すると低温やけどを被るおそれがある。
【０００６】
本発明は、さらにこれ等の欠点を解消することを目的に開発されたものである。本発明の重要な目的は、製造コストを低減し、出力端子ピンをスムーズに回転させながら軸方向に移動し、接触不良を解消して接続端子に接続できる携帯機器の充電台を提供することにある。
また、本発明の他の大切な目的は、携帯機器の接続端子に接続する接点部の露出面積を小さくして、感電やショートを防止できる携帯機器の充電台を提供することにある。
【課題を解決するための手段及び発明の効果】
【０００７】
本発明の携帯機器の充電台は、電池３１を内蔵する携帯機器３０を脱着できるように装着する装着部２を有するケース１と、このケース１に設けられて、装着部２にセットされる携帯機器３０の接続端子３２に接触される出力端子ピン３と、この出力端子ピン３を携帯機器３０の接続端子３２に接近し、かつ離れる方向に往復運動できるように連結している端子ホルダ４と、出力端子ピン３を携帯機器３０の接続端子３２に向かって弾性的に押圧する弾性体５とを備えている。出力端子ピン３は、携帯機器３０の接続端子３２に接触する金属プレート６と、この金属プレート６を埋設してなる円柱状のプラスチックカバー７とからなる。金属プレート６は、プラスチックカバー７の先端から接点部６Ａを突出してプラスチックカバー７に埋設している。端子ホルダ４は、円柱状のプラスチックカバー７を軸方向に移動できるように連結してなる連結ガイド部１４を有し、この連結ガイド部１４とプラスチックカバー７の対向する部分には、一方にガイドピン８を、他方にはこのガイドピン８を案内して連結ガイド部１４に沿って移動するプラスチックカバー７をローリングさせる回転ガイド１３を設けている。充電台は、ケース１の装着部２に装着される携帯機器３０の接続端子３２で出力端子ピン３が押し込まれて、ガイドピン８が回転ガイド１３に沿って移動して、金属プレート６の接点部６Ａをローリングして携帯機器３０の接続端子３２に接触させる。
【０００８】
以上の充電台は、製造コストを低減し、出力端子ピンをスムーズに回転させながら軸方向に移動し、接触不良を解消して接続端子に接続できる特徴がある。製造コストを低減できるのは、出力端子ピンを金属プレートを円柱状に成形しているプラスチックカバーに埋設しているからである。この構造の出力端子ピンは、プラスチックカバーを成形して、所定の外形に成形できることから、金属を加工して所定の形状の出力端子ピンとするものに比較して、安価に多量生産できる。また、出力端子ピンをスムーズに回転させながら軸方向に移動できるのは、出力端子ピンのプラスチックカバーを端子ホルダに摺動して軸方向に移動できるからである。すなわち、出力端子ピンと端子ホルダとの摺動部を金属接触とするのでなく、プラスチック接触とすることで、プラスチックとプラスチックとを摺動させて摺動抵抗を小さくできる。また、接触不良を解消して接続端子に接続できるのは、出力端子ピンをスムーズに回転して接続端子に接触できることに加えて、接続端子との接触部分を板状とすることで、金属プレートで接続端子の表面に付着するゴミなどの異物を掻き取るようにして接触できるからである。
【０００９】
また、以上の充電台は、携帯機器の接続端子に接続する接点部の露出面積を小さくして、感電やショートを防止できる特徴も実現する。それは、出力端子ピンの全体を金属製とするのでなく、金属プレートをプラスチックカバーに埋設して、プラスチックカバーの先端から接点部を露出させる構造とすることで、導電部の露出面積を著しく小さくできるからである。
【００１０】
本発明の携帯機器の充電台は、端子ホルダ４が、出力端子ピン３の往復運動方向に往復運動する絶縁カバー１６と、この絶縁カバー１６を携帯機器３０に向かって弾性的に突出させる押しバネ１７と備えることができる。この絶縁カバー１６は、出力端子ピン３を往復運動できるように案内するガイド孔１６ａを設けて、携帯機器３０の非装着状態において、この絶縁カバー１６を出力端子ピン３よりも突出させて、出力端子ピン３をガイド孔１６ａに収納することができる。
以上の充電台は、出力端子ピンの接点部を絶縁カバーの内部に収納するので、導電部が外部に露出せず、感電や出力端子ピンのショートをより確実に防止できる特徴がある。
【００１１】
本発明の携帯機器の充電台は、出力端子ピン３を押圧する弾性体５を金属線のコイルスプリング５Ａとして、このコイルスプリング５Ａを金属プレート６に接触させてリード線に併用することができる。
以上の充電台は、出力端子ピンを弾性的に押し出す弾性体をリード線に併用するので、出力端子ピンに電力を供給する構造を簡単にできる。
【００１２】
本発明の携帯機器の充電台は、正負の電源端子３２Ａと信号端子３２Ｂからなる接続端子３２を有する携帯機器３０の充電台として、携帯機器３０の正負の電源端子３２Ａと信号端子３２Ｂの接続端子３２に接触する出力端子ピン３を備えることができる。
以上の充電台は、携帯機器の信号端子に接続する出力端子ピンを有するので、携帯機器から充電台に接続状態を示す接続信号を伝送することができる。このため、充電台は、この接続信号を検出して出力端子ピンに携帯機器を充電する電圧を出力することができる。この構造は、携帯機器から接続信号が入力されない状態では、充電台が充電電力を出力しない構造を実現できる。このため、ユーザーが携帯機器をセットしない状態で、出力端子ピンに触って感電することがなく、また、出力端子ピンに金属を接触してショートさせることもない。
【００１３】
本発明の携帯機器の充電台は、携帯機器３０の電源端子３２Ａの接続端子３２に接続される出力端子ピン３に接続してなる半導体スイッチング素子２５を備えて、この半導体スイッチング素子２５の入力には、携帯機器３０の信号端子３２Ｂに接続される出力端子ピン３を接続し、信号端子３２Ｂに接続される出力端子ピン３から入力されるオン信号で半導体スイッチング素子２５をオン状態として、出力端子ピン３から正負の電力を出力することができる。
この充電台は、携帯機器をセットして半導体スイッチング素子にオンに切り換えることから、携帯機器をセットしない状態では出力端子ピンに充電電力が出力されず、感電やショートを確実に防止できる。また、半導体スイッチング素子の入力に信号を入力して半導体スイッチング素子をオンに切り換えるので、簡単な回路構成で半導体スイッチング素子をオンに切り換えして、充電電力を出力できる。
【００１４】
本発明の携帯機器の充電台は、半導体スイッチング素子２５を、携帯機器３０の電源端子３２Ａに接続している信号端子３２Ｂに接触する出力端子ピン３から入力される信号でオンに切り換えられるトランジスタ２５Ａ又はＦＥＴのいずれかとすることができる。
以上の充電台は、極めて簡単な回路構成で、携帯機器をセットする状態でトランジスタやＦＥＴをオンに切り換えて、出力端子ピンに充電電力を出力できる。このため、充電台に携帯機器をセットしない状態での感電やショートを確実に防止しながら、安価に多量生産できる特徴がある。とくに、携帯機器の装着を検出して、出力端子ピンの充電電力を出力するスイッチなどを設けることなく、極めて簡単な構造で出力端子ピンの感電とショートを確実に防止できる特徴がある。
【発明を実施するための最良の形態】
【００１５】
以下、本発明の実施例を図面に基づいて説明する。ただし、以下に示す実施例は、本発明の技術思想を具体化するための携帯機器の充電台を例示するものであって、本発明は充電台を以下のものに特定しない。
【００１６】
さらに、この明細書は、特許請求の範囲を理解しやすいように、実施例に示される部材に対応する番号を、「特許請求の範囲」および「課題を解決するための手段の欄」に示される部材に付記している。ただ、特許請求の範囲に示される部材を、実施例の部材に特定するものでは決してない。
【００１７】
図２ないし図６に示す充電台は、充電できる電池を内蔵する携帯機器３０を脱着できるように装着して、内蔵している電池を充電する。携帯機器３０は、携帯電話である。ただ、本発明は、内蔵する電池を充電する携帯機器を特定するものでなく、たとえば、ＭＤやＣＤの再生または録音再生機、デジタル携帯機器、ゲーム機等、二次電池を内蔵している全ての携帯機器とすることができる。
【００１８】
図２ないし図４は第１の実施例の充電台を、図５と図６は第２の実施例の充電台をそれぞれ示している。これらの充電台は、携帯機器３０を脱着できるように装着する装着部２を有するケース１と、このケース１に設けられて、装着部２にセットされる携帯機器３０の接続端子３２に接触される出力端子ピン３と、この出力端子ピン３を携帯機器３０の接続端子３２に接近し、かつ離れる方向に往復運動できるように連結している端子ホルダ４と、出力端子ピン３を携帯機器３０の接続端子３２に向かって弾性的に押圧する弾性体５とを備えている。図の充電台は、出力端子ピン３と端子ホルダ４と弾性体５とをコネクタ１０としてケース１に固定している。
【００１９】
図のケース１は、外周に沿って凸条２０を設けており、この凸条２０の内側を装着部２として、携帯機器３０を脱着自在にセットできるようにしている。図２の充電台は、ケース１に設けた装着部２の底部にコネクタ１０を設けて、底から上方に突出するように出力端子ピン３を設けている。この充電台は、図３と図４に示すように、コネクタ１０に回路基板９を固定して、コネクタ１０を上ケース１Ａに固定し、コネクタ１０を固定した上ケース１Ａを下ケース１Ｂに連結している。上ケース１Ａは、装着部２の底面２Ａに、コネクタ１０を突出させる開口窓２１を設けて、この開口窓２１にコネクタ１０を配置している。コネクタ１０は、側面から突出する固定部１１を有しており、この固定部１１を止ネジ１２を介して上ケース１Ａに固定している。
【００２０】
図５の充電台は、装着部２の周囲に設けた凸条２０のうちの１辺、図において後方に位置する凸条２０Ａの幅を広くしており、この凸条２０Ａの内部に収納部（図示せず）を設けて、この収納部にコネクタ１０を配置している。このコネクタ１０は、凸条２０から装着部２に向かって水平方向に突出するように出力端子ピン３を設けている。この充電台は、図６に示すように、コネクタ１０に回路基板９を固定して、コネクタ１０を上ケース１Ｂの凸条２０Ａの内側壁２２に固定し、コネクタ１０を固定した上ケース１Ａを下ケース１Ｂに連結している。上ケース１Ａは、凸条２０Ａの内壁２２に、コネクタ１０を突出させる開口窓２１を設けて、この開口窓２１にコネクタ１０を配置している。コネクタ１０は、側面から突出する固定部１１を止ネジ１２を介して内側壁２２に固定している。
【００２１】
コネクタ１０の断面図を図７に、出力端子ピン３の斜視図を図８に示す。これらの図の出力端子ピン３は、携帯機器３０の接続端子３２に接触する金属プレート６と、この金属プレート６を埋設してなる円柱状のプラスチックカバー７とからなる。この出力端子ピン３は、絶縁材であるプラスチックカバー７を成形する工程で、金属プレート６をインサート成形して埋設している。金属プレート６は、プラスチックカバー７の先端から接点部６Ａを突出させるようにプラスチックカバー７に埋設している。金属プレート６は、図９に示すように、金属板４０を打ち抜き加工して、複数個を連続する形状として製作される。出力端子ピン３は、複数の金属プレート６を連続する状態で、プラスチックカバー７にインサート成形して製作され、成形された後に切り離することで能率よく製造できる。
【００２２】
図７の金属プレート６は、プラスチックカバー７の円柱部７Ａの外径よりも狭い幅として、その両側縁をプラスチックカバー７の表面に露出することなく埋設して、その先端部のみを接点部６Ａとして露出させる。接点部６Ａは、プラスチックカバー７の先端から突出するように露出される。板状の接点部６Ａは、出力端子ピン３が押し込まれる状態で回転して、図１０に示すように、接続端子３２に擦り付けられて接触不良を解消する。さらに図７と図９の金属プレート６は、下部の両側に突出片６Ｂを設けている。この突出片６Ｂは、プラスチックカバー７から露出して、出力端子ピン３を弾性的に押し上げる弾性体５であるコイルスプリング５Ａに電気接続される。
【００２３】
プラスチックカバー７は、図８に示すように、円柱状に成形されて、下部には抜け止め鍔部７Ｂを設けている。抜け止め鍔部７Ｂは、図７に示すように、端子ホルダ４に係止されて出力端子ピン３を抜けないように保持する。さらに、プラスチックカバー７は、下部の両側にガイドピン８を突出して設けている。ガイドピン８は、図１１ないし図１３に示すように、端子ホルダ４に設けた回転ガイド１３に沿って移動して、往復運動する出力端子ピン３を回転させる。図８の出力端子ピン３は、プラスチックカバー７の抜け止め鍔部７Ｂから突出してガイドピン８を設けている。
【００２４】
端子ホルダ４はプラスチック製で、円柱状のプラスチックカバー７を軸方向に移動できるように連結してなる連結ガイド部１４を設けている。図７と図１４に示す端子ホルダ４は、連結ガイド部１４を角柱状の縦孔として、ここに出力端子ピン３を往復運動できるように案内している。図のコネクタ１０は、３本の出力端子ピン３を端子ホルダ４に設けているので、端子ホルダ４には３組の縦孔を設けている。連結ガイド部１４の縦孔は、上端の開口部１４ａを細くし、ここに抜け止め鍔部７Ｂを係止して、出力端子ピン３を抜けないように、往復運動できるように案内している。
【００２５】
さらに、端子ホルダ４は、図１１ないし図１４に示すように、連結ガイド部１４の縦孔は、その側面１５に出力端子ピン３のガイドピン８を案内して、連結ガイド部１４に沿って移動する出力端子ピン３をローリングさせる回転ガイド１３を設けている。回転ガイド１３は、出力端子ピン３が軸方向に移動してローリングするように、上下に向かって左右方向に傾斜している。さらに、各々の連結ガイド部１４は、出力端子ピン３の両側に突出するガイドピン８を案内できるように、互いに対向する側面に回転ガイド１３を設けると共に、互いに対向する回転ガイド１３の傾斜方向を逆向きとしている。いいかえると、対向する側面１５の設ける回転ガイド１３は、出力端子ピン３を対象の中心として点対称の形状に傾斜させている。この形状の回転ガイド１３を対向する側面１５に備える端子ホルダ４は、出力端子ピン３の両側に突出するガイドピン８をバランス良くスライドさせてスムーズにローリングしながら上下に移動する。図の回転ガイド１３はスリットとして、ここにガイドピン８を案内している。回転ガイドは、溝として、ここにガイドピンを案内することもできる。
【００２６】
以上のコネクタ１０は、出力端子ピン３にガイドピン８を設けて、端子ホルダ４に回転ガイド１３を設けているが、出力端子ピンのプラスチックカバーと、端子ホルダの連結ガイド部との対向面において、端子ホルダにガイドピンを、プラスチックカバーに回転ガイドを設けて、出力端子ピンを軸方向に移動してローリングすることもできる。
【００２７】
出力端子ピン３を弾性的に押圧する弾性体５はコイルスプリング５Ａで、連結ガイド部１４の縦孔に入れられて、出力端子ピン３と回路基板９との間に弾性的に圧縮状態で配置している。このコイルスプリング５Ａは、導電性の金属スプリングで、出力端子ピン３を回路基板９に電気接続する。弾性体５のコイルスプリング５Ａは、出力端子ピン３の金属プレート６に接触し、かつ回路基板９に設けている導電部に接触して、回路基板９の導電部を出力端子ピン３に電気接続している。
【００２８】
さらに、図７、図１１ないし図１３、及び図１５のコネクタ１０は、出力端子ピン３が往復運動する方向に往復運動できる絶縁カバー１６と、この絶縁カバー１６を携帯機器３０に向かって弾性的に突出させる押しバネ１７とを端子ホルダ４に設けている。
【００２９】
絶縁カバー１６は、出力端子ピン３を往復運動できるように案内するガイド孔１６ａを設けている。図の絶縁カバー１６は、下方を開口する箱形にプラスチックを成形して、天板１６Ａに出力端子ピン３を突出するガイド孔１６ａを設けている。端子ホルダ４は、一対の側壁部１８を設けており、その側壁部１８の内側に絶縁カバー１６を上下に往復運動できるように配置している。絶縁カバー１６は、図１５に示すように、側面の下部を上下方向にスリット１６Ｃで分断して弾性変形片１６Ｂを設けており、この弾性変形片１６Ｂの下端に、外側に突出する係止フック１６ｂを設けている。一方、端子ホルダ４の側壁部１８は、内側に段差凹部１８Ａを設けており、この段差凹部１８Ａの上端を、係止フック１６ｂを係止する係止部１８ａとしている。係止フック１６ｂが係止部１８ａに係止されて、絶縁カバー１６は抜けないように端子ホルダ４に連結される。
【００３０】
押しバネ１７はコイルスプリングで、図７、図１１ないし図１４、及び図１５に示すように、絶縁カバー１６の天板１６Ａを下面から押圧して、絶縁カバー１６を出力端子ピン３の方向に突出させる。端子ホルダ４は、コイルスプリングの押しバネ１７を定位置に配置するために、上方に突出するように連結ロッド１９を一体的に成形して設けている。この連結ロッド１９に挿入されたコイルスプリングの押しバネ１７は、下端を端子ホルダ４に、上端を絶縁カバー１６の天板１６Ａの内面に接触して、絶縁カバー１６を弾性的に押し上げている。
【００３１】
このコネクタ１０は、携帯機器３０がセットされない状態では、図１１と図１５に示すように絶縁カバー１６が押しバネ１７に押し上げられて、出力端子ピン３を露出させない状態とする。したがって、ユーザーが出力端子ピン３の接点部６Ａに触って感電することがなく、また、金属を接触させてショートすることもない。携帯機器３０で絶縁カバー１６が押されると、図１２に示すように、絶縁カバー１６が押し下げられる。この状態になると、出力端子ピン３が絶縁カバー１６から突出して接点部６Ａが携帯機器３０の接続端子３２に接触される。図１２は、わかりやすくするために、出力端子ピン３を絶縁カバー１６から大きく突出させているが、携帯機器３０を装着部２にセットする状態で、このように出力端子ピン３が絶縁カバー１６から突出することはない。携帯機器３０を装着部２にセットする状態では、図７に示すように、絶縁カバー１６は携帯機器３０のケース表面に、出力端子ピン３は接続端子３２に接触する位置となるからである。
【００３２】
コネクタ１０に設けている３組の出力端子ピン３は、出力端子ピン３を押し上げる弾性体５のコイルスプリング５Ａと回路基板９の導電部を介して充電電源２９に接続される。図１６は、充電台の回路図を示している。この充電台は、携帯機器３０に設けている正負の電源端子３２Ａと信号端子３２Ｂからなる接続端子３２に出力端子ピン３を接続して、携帯機器３０の内蔵電池３１を充電する。したがって、コネクタ１０は、携帯機器３０の正負の電源端子３２Ａと信号端子３２Ｂの接続端子３２に接触される３組の出力端子ピン３を備えている。なお、本実施例においては、３組の出力端子ピン３の例を説明するが、必要に応じて、２組の出力端子ピンとして、信号端子に対応する出力端子ピンを省略することもできる。
【００３３】
図１６の充電台は、携帯機器３０のプラス側の電源端子３２Ａである接続端子３２に接続される出力端子ピン３に接続している半導体スイッチング素子２５を備えている。この半導体スイッチング素子２５は、その入力に、携帯機器３０の信号端子３２Ｂに接続される出力端子ピン３を接続している。信号端子３２Ｂに接続される出力端子ピン３から入力されるオン信号で半導体スイッチング素子２５はオンに切り換えられる。オン状態の半導体スイッチング素子２５は、出力端子ピン３から正負の電力を出力して、携帯機器３０の内蔵電池３１を充電する。この充電台は、携帯機器３０からオン信号が入力されない状態で、半導体スイッチング素子２５はオフ状態に保持される。したがって、携帯機器３０をセットしない状態で、出力端子ピン３が充電電力を出力しない。また、信号端子３２Ｂに接続される出力端子３は、抵抗２６を接続し、高インピーダンスとなる。このため、携帯機器３０をセットしない状態で、ユーザーが出力端子ピン３の接点部６Ａに接触しても、感電することがなく、またショートすることもない。
【００３４】
図１６の充電台は、半導体スイッチング素子２５にトランジスタ２５Ａを使用する。トランジスタ２５Ａは、入力のベースをバイアス抵抗２６を介して信号端子３２Ｂに接触する出力端子ピン３に接触している。トランジスタ２５Ａのベースは、携帯機器３０がセットされる状態で、携帯機器側において、バイアス電流を流す回路に接続される。図に示す携帯機器３０は、マイナス側の電源端子３２Ａと信号端子３２Ｂとを接続してひとつの接続端子３２としており、この接続端子３２に２本の出力端子ピン３を接触できるようにしている。図１７に示す携帯機器３０の接続端子３２は、プラス側の電源端子３２Ａを、１本の出力端子ピン３が接触できる円形の導電部３５とし、マイナス側の電源端子３２Ａと信号端子３２Ｂとを、２本の出力端子ピン３が接触できる長円形の導電部３６として、携帯機器３０のケース３３から表出させている。ただ、マイナス側の電源端子と信号端子は、必ずしも携帯機器のケース表面でひとつの導電部として接続する必要はなく、携帯機器の内部で接続し、あるいは保護回路に接続して、保護回路で制御することもできる。マイナス側の電源端子３２Ａと信号端子３２Ｂが接続される接続端子３２は、携帯機器３０が充電台にセットされる状態で、トランジスタ２５Ａのベースをアース側に接続してバイアス電流を流す状態となる。さらに、このトランジスタ２５Ａ（ＰＮＰ型トランジスタ）は、エミッタとコレクタを充電電源２９と出力端子ピン３に接続して、オン状態で充電電源２９を出力端子ピン３に接続し、オフ状態で充電電源２９を出力端子ピン３から切り離す。この充電台に携帯機器３０がセットされると、トランジスタ２５Ａのベースは出力端子ピン３と信号端子３２Ｂを介してマイナス側の電源端子３２Ａに接続される。この状態で、トランジスタ２５Ａのベースには、トランジスタ２５Ａをオンに切り換えるバイアス電流が流れて、充電電源２９を出力端子ピン３に接続して、携帯機器３０の内蔵電池３１を充電する。
【００３５】
図１６の充電台は、半導体スイッチング素子２５をトランジスタ２５Ａとするが、トランジスタに代わってＦＥＴも使用できる。ＦＥＴはオン抵抗が小さく、少ない電力消費で充電電源を出力端子ピンに接続できる。ＦＥＴは、ゲートを出力端子ピンに接続する。このＦＥＴは、携帯機器がセットされる状態では、携帯機器の内部でゲートをオンに切り換える電圧を入力できる電源回路に接続して、オン状態に切り換えられる。ＦＥＴは、ドレインとソースを充電電源と出力端子ピンに接続しているので、オン状態で充電電源を出力端子ピンに接続して、携帯機器の内蔵電池を充電する。
【図面の簡単な説明】
【００３６】
【図１】従来のコネクタの拡大断面図である。
【図２】本発明の第１の実施例にかかる充電台に携帯機器をセットする状態を示す斜視図である。
【図３】図２に示す充電台の分解斜視図である。
【図４】図２に示す充電台に携帯機器をセットした状態を示す断面図である。
【図５】本発明の第２の実施例にかかる充電台に携帯機器をセットする状態を示す斜視図である。
【図６】図５に示す充電台の分解斜視図である。
【図７】図４に示す充電台の要部拡大断面図である。
【図８】出力端子ピンの斜視図である。
【図９】金属プレートの製造工程を示す斜視図である。
【図１０】出力端子ピンの接点部が回転する状態を示す概略平面図である。
【図１１】コネクタの縦断面斜視図である。
【図１２】図１１に示すコネクタの絶縁カバーを押し下げた状態を示す断面斜視図である。
【図１３】図１２に示すコネクタの出力端子ピンが押し下げられた状態を示す断面斜視図である。
【図１４】端子カバーの断面斜視図である。
【図１５】コネクタの横断面斜視図である。
【図１６】本発明の一実施例にかかる充電台の回路図である。
【図１７】携帯機器の接続端子の一例を示す斜視図である。
【符号の説明】
【００３７】
１…ケース                  １Ａ…上ケース
１Ｂ…下ケース
２…装着部                  ２Ａ…底面
３…出力端子ピン
４…端子ホルダ
５…弾性体                  ５Ａ…コイルスプリング
６…金属プレート            ６Ａ…接点部
６Ｂ…突出片
７…プラスチックカバー      ７Ａ…円柱部
７Ｂ…抜け止め鍔部
８…ガイドピン
９…回路基板
１０…コネクタ
１１…固定部
１２…止ネジ
１３…回転ガイド
１４…連結ガイド部          １４ａ…開口部
１５…側面
１６…絶縁カバー            １６Ａ…天板
１６ａ…ガイド孔
１６Ｂ…弾性変形片
１６ｂ…係止フック
１６Ｃ…スリット
１７…押しバネ
１８…側壁部                １８Ａ…係止凹部
１８ａ…係止部
１９…連結ロッド
２０…凸条                  ２０Ａ…凸条
２１…開口窓
２２…内側壁
２５…スイッチング素子      ２５Ａ…トランジスタ
２６…抵抗
２９…充電電源
３０…携帯機器
３１…電池
３２…接続端子              ３２Ａ…電源端子
３２Ｂ…信号端子
３３…ケース
３４…保護回路
３５…円形の導電部
３６…長円形の導電部
４０…金属板
９０…コネクタ
９１…ケース
９３…出力端子ピン
９４…コイルスプリング
９５…回転ガイド
９６…ガイドピン
９９…接続端子
【図１】
2010119273.tif 000003
【図２】
2010119273.tif 000004
【図３】
2010119273.tif 000005
【図４】
2010119273.tif 000006
【図５】
2010119273.tif 000007
【図６】
2010119273.tif 000008
【図７】
2010119273.tif 000009
【図８】
2010119273.tif 000010
【図９】
2010119273.tif 000011
【図１０】
2010119273.tif 000012
【図１１】
2010119273.tif 000013
【図１２】
2010119273.tif 000014
【図１３】
2010119273.tif 000015
【図１４】
2010119273.tif 000016
【図１５】
2010119273.tif 000017
【図１６】
2010119273.tif 000018
【図１７】
2010119273.tif 000019